(57)【要約】【課題】車体カバー前面でウィンカとウィンカに隣接して設けられる飾り部との取り付けを容易にする。【解決手段】左ウィンカユニット２０は左ウィンカ１１と左飾り部１３とからなる。左飾り部１３はベース部材２１から車体幅方向中央寄りに延長された部分にベース部材２１と一体的に形成される。左ウィンカ１１のレンズ３１は、ハンドルカバー９の左レンズ窓１５に嵌って車体前方に臨み、左飾り部１３の外周縁３４は、ハンドルカバー９の左飾り部窓１７に嵌って車体前方に臨んでいる。ベース部材２１は、周縁に突出しているブラケット２２、２３、２５をボルトやピンでハンドルカバー９の裏側に取り付けて固定する。【選択図】図１
2010076548.tif 000002
【特許請求の範囲】
【請求項１】
車体幅方向左右に振り分けられて車体カバーに取り付けられる自動二輪車のウィンカ装置において、
ウィンカバルブを支持するベース部材と、
前記ベース部材の前面に装着されるレンズと、
前記ベース部材から延長された部分に一体で形成された飾り部分とからなり、
前記レンズおよび飾り部分のそれぞれが、車体カバーに設けられたレンズ窓および飾り部窓から車体前方に臨むように、前記ベース部材が車体カバーに取り付けられていることを特徴とする自動二輪車のウィンカ装置。
【請求項２】
前記飾り部分が、車体幅方向中央寄りに延長された前記ベース部材の部分に形成されていることを特徴とする請求項１記載の自動二輪車のウィンカ装置。
【請求項３】
前記車体カバーが、ステアリングハンドルを前面から覆うハンドルカバーであることを特徴とする請求項１または２記載の自動二輪車のウィンカ装置。
【請求項４】
前記レンズは上半分の半透明部分と下半分の透明部分とに区画されていることを特徴とする請求項１〜３のいずれかに記載の自動二輪車のウィンカ装置。
【請求項５】
前記半透明部分が、レンズに形成された丸みひだの密度を前記透明部分の丸みひだの密度より高くすることによって形成されていることを特徴とする請求項４記載の自動二輪車のウィンカ装置。
【発明の詳細な説明】
【技術分野】
【０００１】
本発明は、自動二輪車のウィンカ装置に関し、特に、車体前部の美観を高めることができるとともに、部品点数の削減および取り付け工数の低減を図るのに好適な自動二輪車のウィンカ装置に関する。
【背景技術】
【０００２】
自動二輪車において、操向ハンドルを覆うハンドルカバーの内側からウィンカ（方向指示灯）を取り付けた構造が知られている（特許文献１の図３、図４等を参照）。
【特許文献１】実開平７−４２７３８号公報
【発明の開示】
【発明が解決しようとする課題】
【０００３】
特許文献１に記載されたウィンカ装置では、車体前部の美観を高めるための配慮がなされている。しかし、左右のウィンカの間には単調な形状の、比較的大きな面が存在することから、車体前部の外観にアクセントをつけて車体前部の美観をさらに向上させることが望まれる。すなわち、左右ウィンカの間に飾り部品を配置することでアクセントを付けることが考えられる。
【０００４】
しかし、ウィンカと別に飾り部品を追加することによって、部品点数が増加し、その取り付け用のボスをフロントカバーに形成する必要がでてくるし、組み立て工数も増加してしまう。さらに、飾り部品を取り付ける作業スペースを確保しなければならないためウィンカに飾り部品を近接して配置することが難しくなり、配置の自由度が制限される。
【０００５】
本発明の目的は、部品点数を増加させず、車体前面の外観にアクセントを付けることができる自動二輪車のウィンカ装置を提供することにある。
【課題を解決するための手段】
【０００６】
前記目的を達成するための本発明は、車体幅方向左右に振り分けられて車体カバーに取り付けられる自動二輪車のウィンカ装置において、ウィンカバルブを支持するベース部材と、前記ベース部材の前面に装着されるレンズと、前記ベース部材から延長された部分に一体で形成された飾り部分とからなり、前記レンズおよび飾り部分のそれぞれが、車体カバーに設けられたレンズ窓および飾り部窓から車体前方に臨むように、前記ベース部材が車体カバーに取り付けられている点に第１の特徴がある。
【０００７】
また、本発明は、前記飾り部分が、車体幅方向中央寄りに延長された前記ベース部材の部分に形成されている点に第２の特徴がある。
【０００８】
また、本発明は、前記車体カバーが、ステアリングハンドルを前面から覆うハンドルカバーである点に第３の特徴がある。
【０００９】
また、本発明は、前記レンズは上半分の半透明部分と下半分の透明部分とに区画されている点に第４の特徴がある。
【００１０】
さらに、本発明は、前記半透明部分が、レンズに形成された丸みひだの密度を前記透明部分の丸みひだの密度より高くすることによって形成されている点に第５の特徴がある。
【発明の効果】
【００１１】
第１の特徴を有する本発明によれば、飾り部分がウィンカバルブを支持するベース部材に一体に形成されるので、ウィンカバルブを有するウィンカ本体部分と別個独立して飾り部分を作成する必要がない。つまり部品点数を削減できる。
【００１２】
そして、ウィンカ本体部分と飾り部分とが一体になっているので、車体カバーへの取り付け工数を低減できるし、ウィンカ装置を取り付けるための車体カバーの構造も簡素化できる。
【００１３】
第２の特徴を有する本発明によれば、左右のウィンカ装置の間に、飾り部分が配置されるので、左右のウィンカ装置間の間延びした感じがなくなり、引き締まった良好な外観を形成することができる。
【００１４】
第３の特徴を有する本発明によれば、ウィンカ装置を取り付け面積の小さいハンドルカバーに取り付ける場合、ウィンカ本体部分と飾り部分とが一体化されているので、ウィンカ本体部分と飾り部分とを個別に取り付けるのと比べて取り付けスペースや作業スペースをとらず、好適である。
【００１５】
第４、第５の特徴によれば、レンズの上部分と下部分とで外観が異なるので、均一なレンズ面とは異なるユニークな外観を提供することができる。
【発明を実施するための最良の形態】
【００１６】
以下、図面を参照して本発明の一実施形態を説明する。図２は、本発明の一実施形態に係るウィンカ装置（ウィンカユニット）を備えた自動二輪車の正面図であり、図３は自動二輪車の正面要部を示す拡大図である。図２、図３に示した自動二輪車１はスクータ型車両であるが、これに限らない。自動二輪車１は車体フレーム最前部に設けられる図示しないヘッドパイプで回動自在に支持されたフロントフォーク２、２を備える。前輪３はフロントフォーク２の下端に設けられたフロントアクスル４に対して回転自在に取り付けられる。フロントフォーク２はヘッドパイプから上方に伸びてその上端がステアリングハンドル（図示せず）に連結される。図２では、ステアリングハンドルの左右に設けられるハンドルグリップ５、５と、ブレーキレバー６、６を示している。
自動二輪車１の車体はカバーで覆われる。まず、車体前部には、フロントフォーク２と前輪３を覆うフロントカバー７が設けられ、このフロントカバー７の後方には、車体フレームを覆うボディカバー８が配置される。また、フロントカバー７の上方には、ステアリングハンドルの前部を覆うハンドルカバー９が設けられる。
【００１７】
フロントカバー７の中央上部寄りには、ヘッドライト装置（ヘッドライトユニット）１０が取り付けられている。ヘッドライトユニット１０は、ヘッドライトとポジションランプ（図示せず）とを備える。
【００１８】
ハンドルカバー９には、車体幅方向左右に互いに距離をおいて配置された左ウィンカ１１と右ウィンカ１２とが取り付けられている。また、左ウィンカ１１の車体幅方向中央寄りには、左ウィンカ１１から間隔をおいて隣接した左飾り部１３が設けられ、右ウィンカ１２の車体幅方向中央寄りには右ウィンカ１２から間隔をおいて隣接した右飾り部１４が設けられる。
【００１９】
左ウィンカ１１および右ウィンカ１２は、ハンドルカバー９に形成された左レンズ窓１５および右レンズ窓１６にそれぞれのレンズ部が嵌って車体前面に臨むように取り付けられる。同様に、左飾り部１３および右飾り部１４は、ハンドルカバー９に形成された左飾り部窓１７および右飾り部窓１８に嵌って車体前面に臨むように取り付けられる。
【００２０】
ウィンカユニットを説明する。左右のウィンカユニットは、左右対称形状であるが、同様に構成されるので、以下、左ウィンカユニットで代表して説明する。図４は、左ウィンカユニットの前面斜視図、図５は、レンズを取り外した左ウィンカユニットの前面斜視図である。また、図６は左ウィンカユニットの背面斜視図である。
【００２１】
左ウィンカユニット２０は左ウィンカ１１と左飾り部１３とを備える。左ウィンカ１１はベース部材２１を有し、左飾り部１３はベース部材２１の延長部材としてベース部材２１と一体形成される。ベース部材２１の上縁にはブラケット２２が上方に突出形成され、ベース部材２１の下縁にはブラケット２３が下方に突出形成される。さらに、ベース部材２１の上縁左寄りには、ハンガ爪２４が形成される。左飾り部１３の上縁にもブラケット２５が上方に突出形成される。これらブラケット２２、２３および２５とハンガ爪２４とは、ハンドルカバー９に左ウィンカユニット２０を取り付けるためのものである。
【００２２】
ベース部材２１はウィンカバルブ２６を収容するため、車体後方側に膨出した形状に形成された壁部２７を備える。壁部２７は、ウィンカバルブ２６の取り付け面であるとともに、ウィンカバルブ２６から放出される光を車体左前方に反射するリフレクタを構成する面２８を備える。ウィンカバルブ２６は絶縁端子部２９を備えたバルブソケット３０を介して壁部２７に取り付けられる。
【００２３】
ベース部材２１の前面にはレンズ３１が装着される。レンズ３１とベース部材２１とによってバルブ収容空間は密閉される。この密閉された空間に浸入した水は、レンズ３１を曇らせることがある。そこで、ベース部材２１には、バルブ収容空間の雰囲気と外気とを流通可能にするためのブリーザ３２、３３が取り付けられている。
【００２４】
左飾り部１３は、前記左飾り部窓１７の内周に嵌るように寸法設定され、ベース部材２１から突出形成された外周縁３４を備え、外周縁３４の内側にあって、ほぼ水平方向に延びたビーム３５をさらに備える。この外周縁３４とビーム３５とで飾り模様を構成している。
【００２５】
レンズ３１は、ウィンカバルブ２６から照射された光を適度に屈折させて拡散させるための丸みひだ（フルート）を有する。図７を併せて参照する。図７（ａ）はレンズ３１の上部断面図、図７（ｂ）はレンズ３１の下部縦断面図である。フルートはレンズ３１の裏面に形成される。フルートはレンズ上側とレンズ下側とにそれぞれ異なった態様で形成される。レンズ３１の上側には、図４において右上から左下方向に斜め方向に沿って整列された多数のフルート３６が形成されており、レンズ３１の下側には、ほぼ水平方向に沿って整列された３本のフルート３７が形成されている。
【００２６】
フルート３６はウィンカバルブ２６から放出された光を拡散させるとともに、レンズ３１の上部を半透明にして左ウィンカ１１内が明りょうに見通せないようにするため、多数形成されている。一方、フルート３７はフルート３６より数が圧倒的に少ない（この例では３本）ので、レンズ３１の下部は左ウィンカ１１内部を見通せる透明部分である。このようなフルートの向きや数によって、左ウィンカ１１の前面に、レンズ面が上下に分割された外観意匠を施している。
【００２７】
図１は、ハンドルカバーの裏側に取り付けられたウィンカユニットを示す斜視図である。図１において、ハンドルカバー９の裏側には、左レンズ窓１６（図３参照）の上縁側にハンガ３８とブラケット受け３９とが形成され、左レンズ窓１６（図３参照）の左下縁側には、ブラケット受け４０が形成される。また、左飾り部窓１７（図３参照）の上縁側にはブラケット受け４１が形成される。
【００２８】
ハンガ３８はハンガ爪２４の先端（水平部分）２４ａを引っかける部分であり、ブラケット受け３９、４１は、ブラケット２２、２５の略垂直部分２２ｂ、２５ｂ（図５参照）が当接される受け面を有する。ブラケット受け４０はブラケット２３の略垂直部分２３ｂが当接される受け面を有する。
【００２９】
ブラケット受け３９、４１は、それぞれ、ブラケット２２、２５のピン孔２２ａ、２５ａに嵌合されるピン３９ａ、４１ａを有する。ブラケット４０はブラケット２３の略垂部分２３ｂを貫通して挿入されるボルト４２を受け入れるボルト孔（図示せず）を有する。
【００３０】
組み立て時、左ウィンカユニット２０のレンズ３１の外周を左レンズ窓１５の内周に沿わせてあてがうとともに、左飾り部１３の外周縁３４の外周を左飾り部窓１７の内周に沿わせてあてがう。このとき、ハンガ爪２４の水平部分２４ａの下面はハンガ３８の上面に係合し、ブラケット２２、２５のピン孔２２ａ、２５ａにはブラケット受け３９、４１のピン３９ａ、４１ａが嵌合する。この状態で、左ウィンカユニット２０はハンドルカバー９に保持される。そして、ブラケット２３にボルト４２を通し、ブラケット受け４０のボルト孔にねじ込んで確実に固定する。
【００３１】
左ウィンカユニット２０の絶縁端子部２９からは、ウィンカバルブ２６のバルブソケット３０に接続されるハーネス４３が引き出され、ハーネス４３の端部は給電コネクタ４４に接続されている。
【００３２】
なお、上記実施形態では、左ウィンカユニット２０をピン３９ａおよび４１ａとピン孔２２ａおよび２５ａとを嵌合させて、ボルト締め箇所は１箇所とした。しかし、取り付け方法はこれに限らず、左ウィンカ装置２０の上縁側のブラケット２２、２５とブラケット受け３９、４１も互いにボルト締めしてもよい。
【図面の簡単な説明】
【００３３】
【図１】本発明の一実施形態に係るウィンカユニットをハンドルカバーの裏側に取り付けた態様を示す斜視図である。
【図２】本発明の一実施形態に係るウィンカユニットを備えた自動二輪車の正面図である。
【図３】図３は自動二輪車の正面要部を示す拡大図である。
【図４】左ウィンカユニットの前面斜視図である。
【図５】レンズを取り外した左ウィンカユニットの前面斜視図である。
【図６】左ウィンカユニットの背面斜視図である。
【図７】レンズの要部形状を示す断面図である。
【符号の説明】
【００３４】
１…自動二輪車、  ９…ハンドルカバー、  １１…左ウィンカ、  １２…右ウィンカ、  １３…左飾り部、  １４…右飾り部、  １５…左レンズ窓、  １６…右レンズ窓、  １７…左飾り部窓、  １８…右飾り部窓、  ２０…左ウィンカユニット、  ２１…ベース部材、  ２２、２３、２５…ブラケット、  ２４…ハンガ爪、  ２６…ウィンカバルブ、  ３１…レンズ、  ３６、３７…フルート
【図１】
2010076548.tif 000003
【図２】
2010076548.tif 000004
【図３】
2010076548.tif 000005
【図４】
2010076548.tif 000006
【図５】
2010076548.tif 000007
【図６】
2010076548.tif 000008
【図７】
2010076548.tif 000009